(57)【特許請求の範囲】
【請求項１】
紙類を細断するための細断刃を有する細断機構を収容する細断刃収容部と、
当該細断刃収容部により細断された細断屑を収容するとともに前記細断刃を使用し得る使用時及び非使用時共に当該細断刃を外部から遮蔽している屑収容部とを設けた単一のハウジングを有するシュレッダであって、
前記ハウジングが、前記ハウジング内における前記細断屑を収容し得る空間の容積を前記使用時に比べて前記非使用時で小さくなるように変更する容積変更機構を具備し、
前記屑収容部が前記細断刃収容部の下方に位置付けられたものであり、
前記容積変更機構が、前記使用時において前記細断刃収容部を前記屑収容部の上方に位置付けるための位置決め部を有し、
前記位置決め部が、前記細断刃収容部と前記屑収容部とを所定位置で係り合わせるための、前記屑収容部の上下に亘って複数設けられた係合凹部と、前記細断刃収容部側に設けられた係合凸部とを有する係合部であり、
前記係合部が、前記係合凸部を有する係合部材と、当該係合部材を操作するための操作レバーとを有していることを特徴とするシュレッダ。
【請求項２】
前記操作レバーが前記細断刃収容部に設けられたものであり、当該操作レバーの回転中心が操作端近傍に設けられたものである請求項１記載のシュレッダ。
【請求項３】
紙類を細断するための細断刃を有する細断機構を収容する細断刃収容部と、
当該細断刃収容部により細断された細断屑を収容するとともに前記細断刃を使用し得る使用時及び非使用時共に当該細断刃を外部から遮蔽している屑収容部とを設けた単一のハウジングを有するシュレッダであって、
前記ハウジングが、前記ハウジング内における前記細断屑を収容し得る空間の容積を前記使用時に比べて前記非使用時で小さくなるように変更する容積変更機構を具備し、
前記屑収容部が前記細断刃収容部の下方に位置付けられたものであり、
前記容積変更機構が、前記使用時において前記細断刃収容部を前記屑収容部の上方に位置付けるための位置決め部を有し、
前記容積変更機構が、前記細断機構を下方から支持し得る支持脚を有するものであることを特徴とするシュレッダ。
【請求項４】
前記容積変更機構が、前記支持脚と、当該支持脚を回動可能に支持する回転軸とを有している請求項３記載のシュレッダ。
【請求項５】
前記容積変更機構が、前記支持脚を前記非使用時で位置決めするための位置決め爪をさらに有している請求項４記載のシュレッダ。
【請求項６】
前記屑収容部が箱状のものであり、
前記容積変更機構が、前記非使用時において前記屑収容部の内部に前記細断刃収容部の少なくとも一部を収容するものである請求項１、２、３、４又は５記載のシュレッダ。
【請求項７】
前記ハウジングが使用時であることを検知する使用時検知部と、使用時検知部が使用時を検知したときに前記細断機構の動作を許可する動作許可部とを有する細断動作停止機構を具備している請求項１、２、３、４、５又は６記載のシュレッダ。
【請求項８】
前記使用時検知部が、前記細断刃収容部側に設けられた第１の検知要素と、前記屑収容部側に設けられ前記使用時に前記第１の検知要素に対し係り合う第２の検知要素とを有し、これら第１の検知要素と第２の検知要素とが係り合うときに前記動作許可部が前記細断機構の動作を許可し得るものである請求項７記載のシュレッダ。
【請求項９】
前記第１の検知要素及び前記第２の検知要素の何れか一方が磁石であり、他方が磁気センサである請求項８記載のシュレッダ。
【請求項１０】
前記使用時において、前記屑収容部が当該屑収容部の内部と外部とを連通させ得る開閉可能な蓋を有するものであり、前記第２の検知要素を前記蓋に設け、当該蓋の閉止時にのみ前記第２の検知要素が前記第１の検知要素に対し係り得るものである請求項８又は９記載のシュレッダ。
【発明の詳細な説明】
【技術分野】
【０００１】
本発明は、紙類を細断するためのシュレッダに関するものである。
【背景技術】
【０００２】
従来、書類やメディアといった書類等を廃棄する際に、その内容或いは記録されたデータを判別不能に廃棄する目的で、これらを細かく裁断、すなわち細断して廃棄するためのシュレッダが、広く用いられている。
【０００３】
また近年のシュレッダではその略全てが、紙などを投入するスリット状の投入口の厚み寸法を規定された所定の寸法に設定しておくことに加え、書類等を細断する細断刃を収容する細断刃収容部と細断屑を収容する引出し状の屑入れや収容袋を取り付けておくための屑収容部とを、単一のハウジング内で分離不能に設けている。そうすることにより、細断刃収容部における細断屑の排出側が常に屑収納部に臨むようにして、細断刃が外方に向けて露出してしまうことを防止している。加えて、前記屑入れの位置や書類等の挿入位置など、所定の要件を正しく満たさない限り細断刃の動作を禁止するという細断動作停止機構も略全ての機種に導入されている(例えば、特許文献１、非特許文献１参照)。これらの構成を採用することにより、細断刃が書類等を細断するとき以外で不意に動作してしまう不具合が起こる可能性を排除している。
【０００４】
そしてこれらのシュレッダは、勿論大規模なオフィスからＳＯＨＯと呼ばれる小規模なオフィスに至るまで幅広く用いられているが、オフィス内で複数のユーザが共有するような比較的大きなハウジングを有したオフィス向けと呼ばれるものと、ＳＯＨＯやパーソナルユースの為と位置付けられ家庭用としても好適に用いられる比較的小さなハウジングを有する自宅／ＳＯＨＯ向けと呼ばれるものという、大きく分けて２つの態様に分類することができる（非特許文献１参照）。
【先行技術文献】
【特許文献】
【０００５】
【特許文献１】特開２００７−７６０２号公報
【非特許文献】
【０００６】
【非特許文献１】「コクヨ２００９総合カタログ」、ステーショナリー編、コクヨ株式会社、２００８年１２月発行、Ｐ．４６４〜４７４）
【発明の概要】
【発明が解決しようとする課題】
【０００７】
ここで、上記２つの態様のシュレッダの内の後者、すなわち自宅／ＳＯＨＯ向けのシュレッダの使用態様に着目する。このような自宅／ＳＯＨＯ向けシュレッダは、ユーザが一人のみか、或いはＳＯＨＯ内の数人のユーザに共有される態様に限られている為、稼働率はオフィス向けシュレッダよりも低い傾向にある。そのため、特にユーザが一人である個人で使用される場合は、普段は所定の場所に保管されており、使用時のみ、デスク上或いはデスクサイド等に移動させて使用するという使い方が多いというのが現状である。すなわち、保管されていることが多い自宅／ＳＯＨＯ向けシュレッダにおいては、収納し易いように、なるべくコンパクトに収容することが求められている。
【０００８】
しかしながら、比較的ハウジングの小さな自宅／ＳＯＨＯ向けシュレッダとはいっても、書類等を一回の使用で細断し得るように、使用時には多くの書類等を細断することを考えると、ハウジング内における細断屑を収容し得るスペース、すなわち屑収容部の容積は十分確保する必要があるというのが現状である。しかし多くの屑収容部のスペースを大きくすると勿論、屑収容部の容積が大きくなってしまう。そうなると、これらのシュレッダはその大きな屑収容部ごと収納・保管しなければならずに大きく嵩張るものとなってしまい、その結果、自宅／ＳＯＨＯ向けシュレッダに求められる上述のようなコンパクトな収納が実現し得ないというものとなってしまう。
【０００９】
本発明は、このような点に着目したものであり、自宅／ＳＯＨＯ向けのシュレッダにおいて、細断屑を収容するスペースを十分に確保しつつ、コンパクトな収納を可能にしたシュレッダを提供することを目的としている。
【課題を解決するための手段】
【００１０】
本発明は、このような目的を達成するために、次のような手段を講じたものである。すなわち本発明に係るシュレッダは、紙類を細断するための細断刃を有する細断機構を収容する細断刃収容部と、当該細断刃収容部により細断された細断屑を収容するとともに前記細断刃を使用し得る使用時及び非使用時共に当該細断刃を外部から遮蔽している屑収容部とを設けた単一のハウジングを有するシュレッダであって、前記ハウジングが、前記ハウジング内における前記細断屑を収容し得る空間の容積を前記使用時に比べて前記非使用時で小さくなるように変更する容積変更機構を具備する。
【００１１】
ここで、「前記細断屑を収容し得る空間の容積」とは、屑収容部自体の容積が小さくなることに限定されるものではなく、屑収容部の容積自体の変化は無くとも、屑収容部内で、細断屑を収容し得る空間の容積が小さくなる態様をも含まれる概念である。
【００１２】
また「単一」とは、細断刃収容部並びに屑収容部がそれぞれ一つずつ、分離不能に構成されていることを意味するものである。
【００１３】
このようなものであれば、使用時には細断屑を収容し得る空間の容積を必要十分に確保することができるのみならず、非使用時には当該容積を小さくすることでハウジング全体の容積をコンパクトな構成とすることができる。そうすることにより、非使用時にはハウジングをコンパクトにして保管しておき、使用時にのみ細断屑を収容し得る空間を大きくして細断屑を必要十分量収容し得るという、自宅／ＳＯＨＯ向け用途に最適な態様のシュレッダを提供することが可能となる。
【００１４】
そして、細断屑を収容し得る空間を安定して変更するためには、屑収容部を箱状のものとし、容積変更機構を非使用時において屑収容部の内部に細断刃収容部の少なくとも一部を収容する構成とすることが望ましい。
【００１５】
さらに、簡単な構成で容積変更機構を実現するためには、屑収容部を細断刃収容部の下方に位置付けて、容積変更機構に、使用時において細断刃収容部を屑収容部の上方に位置付けるための位置決め部を設けることが望ましい。
【００１６】
そして位置決め部が安定した動作をし得るものとするためには、当該位置決め部を、細断刃収容部と屑収容部とを所定位置で係り合わせるための係合部としておくことが望ましい。
【００１７】
そして、細断屑を収容し得る容積を大きく変更させるとともに、確実な容積の変更を実現するためには、係合部を、屑収容部の上下に亘って複数設けられた係合凹部と、細断刃収容部側に設けられた係合凸部とを有する構成とすることが望ましい。
【００１８】
そして安定して動作し得る係合部の具体的な構成として本発明は、係合凸部を有する係合部材と、当該係合部材を操作するための操作レバーとを係合部が有していることを特徴とする。
【００１９】
さらに、ユーザにとって操作し易く且つ安定した動作をさせるためには、操作レバーを細断刃収容部に設け、当該操作レバーの回転中心が操作端近傍に設けたものとすれば、操作レバーの作用端の動作を大きくすることで確実な動作を実現し得るものとなる。
【００２０】
他方、簡単な構成で容積変更機構を実現し得る他の構成として本発明は、容積変更機構を、細断機構を下方から支持し得る支持脚を有するものとしたことを特徴とする。
【００２１】
そして安定して容積変更機構を動作させるためには、当該容積変更機構が、支持脚と、当該支持脚を回動可能に支持する回転軸とを有したものとすることが好ましい。
【００２２】
そしてこのような容積変更機構の動作を確実なものとするためには、支持脚を非使用時で位置決めするための位置決め爪を設けておくことが好ましい。
【００２３】
一方、ほとんどのシュレッダには現在、使用者の予期しない動作をしないように所要の条件以外では細断機構の動作を禁止する細断動作停止機構が搭載されている。ここで、本発明に好適に適用することができる細断動作停止機構としては、ハウジングが使用時であることを検知する使用時検知部と、使用時検知部が使用時を検知したときに前記細断機構の動作を許可する動作許可部とを有する細断動作停止機構を挙げることができる。
【００２４】
ハウジングの動作を有効に利用し確実に作動し得る細断動作停止機構の具体的な態様として、前記使用時検知部を、前記細断刃収容部側に設けられた第１の検知要素と、前記屑収容部側に設けられ前記使用時に前記第１の検知要素に対し係り合う第２の検知要素とを有し、これら第１の検知要素と第２の検知要素とが係り合うときに前記動作許可部が前記細断機構の動作を許可し得るものとすることが望ましい。
【００２５】
ここで、「係り合う」とは、物理的な接触によって係り合う態様に限られるものではなく、例えば磁気や光を感知する態様のように、物理的な接触を介さなくとも、一方の検知要素が他方の検知要素を認識し得る種々の態様を含む概念である。
【００２６】
このような「係り合う」という態様のうち、ハウジングの動作に干渉せず、且つ、確実に検知し得るような態様としては、磁気を利用するような態様、すなわち、前記第１の検知要素及び前記第２の検知要素の何れか一方が磁石であり、他方が磁気センサである態様が望ましい。
【００２７】
そして、ハウジングが、屑収容部が当該屑収容部の内部と外部とを連通させ得る開閉可能な蓋を有するものである場合、第２の検知要素を前記蓋に設け、前記使用時において、当該蓋の閉止時にのみ前記第２の検知要素が前記第１の検知要素に対し係り得るものとすれば、ハウジングの蓋が開いている状態では細断機構の動作を有効に禁止することができる。
【発明の効果】
【００２８】
本発明によれば、非使用時にはハウジングをコンパクトにして保管しておき、使用時にのみ細断屑を収容し得る空間を大きくして細断屑を必要十分量収容し得るという、自宅／ＳＯＨＯ向け用途に最適な態様のシュレッダを実現することができる。
【図面の簡単な説明】
【００２９】
【図１】本発明の第１実施形態に係るシュレッダの非使用時における斜視図。
【図２】本発明の第１実施形態に係るシュレッダの使用時における斜視図。
【図３】同シュレッダの使用時における中央側断面図。
【図４】図３に対応させた非使用時における中央側断面図。
【図５】同シュレッダの要部を示す中央正断面図。
【図６】図５に対応させた作用説明図。
【図７】同上。
【図８】本発明の第２実施形態に係るシュレッダの非使用姿勢を示す斜視図。
【図９】同シュレッダの姿勢変更に至る状態を示す斜視図。
【図１０】同シュレッダの使用姿勢を示す斜視図。
【図１１】同シュレッダの使用姿勢を示す中央側断面図。
【図１２】同シュレッダの使用姿勢を示す中央正断面図。
【図１３】図１２に対応させた非使用姿勢を示す図。
【図１４】本発明の第３実施形態に係るシュレッダの使用姿勢を示す斜視図。
【図１５】同シュレッダの使用姿勢を示す斜視図。
【図１６】同シュレッダの他の姿勢を示す外観図。
【図１７】同上。
【図１８】同シュレッダの要部を示す外観図。
【図１９】同シュレッダの中央側断面図。
【図２０】同シュレッダの要部を示す構成説明図。
【発明を実施するための形態】
【００３０】
以下、本発明の各実施の形態について図面を参照して説明する。
【００３１】
＜第１実施形態＞
本実施形態に係るシュレッダＡは、例えば家庭やＳＯＨＯと呼ばれる小規模オフィス等に好適に用いられる、細断屑を収容する容積が例えば２〜３リットルに設定された、所謂自宅／ＳＯＨＯ向けのものである。そして当該シュレッダＡは、図１乃至図７に示す通り、紙類等を細断するための細断刃４１を有する細断機構４を収容する細断刃収容部２と、この細断刃収容部２の細断屑排出口２０ｃに臨ませた屑収容部３とを備えた単一のハウジング１の前方から抽斗状の屑入５を挿入・離脱可能に収容しているものである。なお、本実施形態に係るシュレッダＡは、他にも、家庭用コンセントに接続する電源部、そして屑入５を挿入していない状態では細断刃４１が作動しない細断動作停止機構等が設けられたものとなっているが、これらについては既存の種々の構成を採用し得るため、その詳細な説明を省略するものとする。
【００３２】
ここで、本実施形態に係るシュレッダＡは、紙類等を細断するための細断刃４１を有する細断機構４を収容する細断刃収容部２と、当該細断刃収容部２により細断された細断屑を収容するとともに細断刃４１を使用し得る使用時及び非使用時共に当該細断刃４１を外部から遮蔽している屑収容部３とを設けた単一のハウジング１を有するシュレッダＡであって、ハウジング１が、ハウジング１内における細断屑を収容し得る空間すなわち収容可能空間Ｓの容積を使用時における使用姿勢（Ｑ）に比べて非使用時における非使用姿勢（Ｐ）で小さくなるように変更する容積変更機構Ｘを具備することを特徴とするものである。
【００３３】
以下、本実施形態に係るシュレッダＡについて、ハウジング１の構成を中心に詳述する。
【００３４】
細断刃収容部２は、図１乃至図７に示すように、ハウジング１における上側に位置するものであり、外壁２０ａと細断機構４を内蔵している刃収容箱２０ｂとの間に設けた空間に屑収容部３の立壁３２を収容可能に設けることによって、屑収容部３に対して相対的に移動可能に形成するとともに、刃収容箱２０ｂの下面側に排出口２０ｃを設けることによって、屑収容部３側に細断屑を落下させ得るように形成したものである。
【００３５】
そして当該細断刃収容部２は、特に図５乃至図７に示すように、例えば樹脂により一体成型された収容部本体２０を主体としたものであり、当該収容部本体２０に取り付けられるものとして、当該収容部本体２０の上方両端に取り付けられた操作レバー２１と、屑収容部３に係り合うための係合部材２２とを有したものとなっている。
【００３６】
収容部本体２０は、上面側に紙葉類を投入するための投入口２０１を設けるとともに、上端両側を切り欠いて形成することにより操作レバー２１を外観上略面一に取り付けるためのレバー取付部２０２と、当該操作レバー２１に係り合う係合部材２２を回動可能に取り付ける係合部材取付部２０３と、係合部材２２を弾性付勢するためのねじりコイルバネｂを取り付けるためのバネ取付部２０４とを形成している。
【００３７】
なお細断機構４は、投入口２０１に対応する位置を介して対向させた一対の細断刃４１と、当該細断刃４１を駆動するための機構部４２や、外方に表出させたスイッチ４３等を具備し、一対の細断刃４１を回転駆動することによって紙類等の処理物を細断する物であるが、斯かる細断機構４の構成については、既存の種々の構成のものを採用することができるので詳細な説明を省略する。なお図３乃至図７において細断機構４の図示を模式的に示している。
【００３８】
操作レバー２１は、図５乃至図７に示すように、収容部本体２０の上方両端において収容部本体２０と略面一となるように取り付けられたものであり、上方両端に表出した操作端２１１と、外壁２０ａと刃収容箱２０ｂとの間の空間において係合部材２２を押圧するための作用端２１２と、操作端２１１近傍、すなわち収容部本体２０の上方両端よりも若干寸法内側に設けられ当該操作レバー２１の回転中心として作用する回転部２１３とを有している。
【００３９】
係合部材２２は、図５乃至図７に示すように、上端において操作レバー２１の作用端２１２に接触している入力端２２１と、下端において屑収容部３に設けた上側凹部３２１並びに下側凹部３１１に対して挿入されることで係り合う係合凸部２２２と、当該係合部材２２の上下略中央に位置付けられ当該係合部材２２を回動可能に取り付けるための回動部２２３とを有している。なお図５乃至図７の断面図において回動部２２３の位置を、便宜上実線で示すものとする。
【００４０】
屑収容部３は、図１乃至５に示すように、ハウジング１における下側に位置するものであり、上側を上述した排出口２０ｃに臨ませるとともに、前方を開放させて抽斗形状をなす屑入５を収容可能に構成しているものである。そしてこの屑収容部３は、屑入５を下方から支持する底壁３１と、当該底壁３１の周囲から立ち上がる立壁３２とを主体にとしており、底壁３１には非使用姿勢（Ｐ）において係合凸部２２２に係り合うための下側凹部３１１を形成するとともに、立壁３２の上端付近には同じく係合凸部２２２に係り合うための上側凹部３２１を形成している。
【００４１】
しかして本実施形態に係るシュレッダＡは、細断刃収容部２における外壁２０ａと刃収容箱２０ｂとの間に形成された空間を屑収容部３の立壁３２を収容し得る形状を採用することにより、非使用時つまり非使用姿勢（Ｐ）において屑収容部３の内部に細断刃収容部２を収容させることで、ハウジング１が、ハウジング１内における細断屑を収容し得る収容可能空間Ｓの容積を使用時における使用姿勢（Ｑ）に比べて非使用時における非使用姿勢（Ｐ）で小さくなるように変更する容積変更機構Ｘを具備することを特徴とするものである。
【００４２】
すなわち、本実施形態に係る容積変更機構Ｘとは、上述した細断刃収容部２並びに屑収容部３自体の形状と、使用時において細断刃収容部２を屑収容部３の上方に位置付けるための位置決め部として機能させるべく、細断刃収容部２と屑収容部３とを所定位置で係り合わせるための係合部Ｘ１とによって実現されるものである。そして本実施形態では係合部Ｘ１は、細断刃収容部２側の操作レバー２１及び係合凸部２２２を有する係合部材２２と、屑収容部３側の上側凹部３２１及び下側凹部３１１とによって構成されている。
【００４３】
以下、使用時における使用姿勢（Ｑ）から非使用時においてハウジング１をコンパクトなものとする非使用姿勢（Ｐ）に至るまでの容積変更機構Ｘに関する一連の動作について説明する。
【００４４】
まず図５に示す使用姿勢（Ｑ）において、係合部材２２の係合凸部２２２は、立壁３２に設けた上側凹部３２１に嵌り込むことによって当該係合凸部２２２と上側凹部３２１とが係り合っている。そのため細断刃収容部２は、屑収容部３に収容された屑入５の上方に位置付けられることにより、細断屑を収容し得る収容可能空間Ｓの容積が十分に確保された状態となっている。この状態ではバネｂは係合部材２２における回動部２２３よりも下側を弾性付勢することにより、係合凸部２２２は両側へ向けて押圧する方向に付勢されているため、係合凸部２２２と上側凹部３２１とは弾性付勢に応じて強く係り合った状態となっている。そしてこの状態で操作レバー２１の操作端２１１を上方へ付勢すると、操作端２１１近傍にすなわち側端近傍に設けられた回転部２１３を中心に回転して、作用端２１２は両側に向かって斜め下方向に移動することにより係合部材２２の入力端２２１を押圧していくことになる。
【００４５】
続いて図６に示すように、入力端２２１がバネｂの付勢に抗して押圧されていくと、係合凸部２２２は中央に正面視中央へ向かって回転することにより、上側凹部３２１から退避することになる。そして同図に示すように、細断刃収容部２は下方へスライド移動し得るようになる。
【００４６】
そして図７に示すように、細断刃収容部２が下端に到達すると、係合凸部２２２は、底壁３１に設けた下側凹部３１１に挿入されるため、細断刃収容部２が位置決めされる。このとき、収容可能空間Ｓの容積はほとんど細断屑を収容できないまでに小さな容積となり、図１に示すように、ハウジング１をコンパクトにして、非使用時の保管、収容に適した状態である、非使用姿勢（Ｐ）が実現されることとなる。
【００４７】
以上のような構成とすることにより、本実施形態に係るシュレッダＡは、使用姿勢（Ｑ）では収容可能空間Ｓの容積を必要十分に確保することができるのみならず、非使用姿勢（Ｐ）では当該容積を小さくすることでハウジング１全体の容積をコンパクトにし得る構成し得たものとなっている。その結果図１のように、非使用時にはハウジング１をコンパクトにして保管しておき、使用時にのみ収容可能空間Ｓを大きくして細断屑を必要十分量収容し得るという、自宅／ＳＯＨＯ向け用途に最適な態様のシュレッダＡを実現している。
【００４８】
そして本実施形態では、収容可能空間Ｓを安定して変更するために、屑収容部３を箱状のものとし、容積変更機構Ｘを非使用姿勢（Ｐ）において屑収容部３の内部に細断刃収容部２の少なくとも一部、具体的には刃収容箱２０ｂを屑入５内に略収容する構成を採用している。
【００４９】
さらに簡単な構成で容積変更機構Ｘを実現するために本実施形態では、屑収容部３を細断刃収容部２の下方に位置付けて、容積変更機構Ｘに、使用時において細断刃収容部２を屑収容部３の上方に位置付けるための位置決め部としての係合部Ｘ１を設けたものとしている。すなわち、位置決め部が安定した動作をし得るように、当該位置決め部として、細断刃収容部２と屑収容部３とを所定位置で係り合わせる係合部Ｘ１の態様を適用している。
【００５０】
そして、収容可能空間Ｓの容積を大きく変更させるとともに、確実な収容可能空間Ｓの容の変更を実現するために本実施形態では、係合部Ｘ１を、屑収容部３の上端部及び下端部に設けられた係合凹部と、細断刃収容部２側に設けられた係合凸部２２２とを有する構成としている。
【００５１】
また本実施形態では係合部Ｘ１の具体的な一例として、係合凸部２２２を有する係合部材２２と、当該係合部材２２を操作するための操作レバー２１とを係合部Ｘ１が有している構成を採用して、安定した係合部Ｘ１の動作を担保している。
【００５２】
特に本実施形態では、操作レバー２１の回転中心を操作端２１１近傍に設けたものとして、当該操作レバー２１の作用端２１２の動作を大きくすることで確実な動作を実現するとともに、ユーザにとって操作し易く且つ安定した動作をも実現している。
【００５３】
＜第２実施形態＞
続いて、本発明の第２実施形態に係るシュレッダＢについて説明する。なお本実施形態において、上記第１実施形態と同様の構成要素については同じ符号を付すとともに、その詳細な説明を適宜省略するものとする。
【００５４】
本実施形態に係るシュレッダＢは、図８乃至図１３に示すように、上記実施形態同様個人／ＳＯＨＯ向け用途に位置付けられたものであり、ハウジング１に把手７を取り付けることで、使用者が容易に持ち運びし易い態様のものとなっている。勿論、このシュレッダＢにおいても、図８乃至図１０において斜視図に示すように、使用姿勢（Ｑ）と非使用姿勢（Ｐ）との間で交互に姿勢変更可能なものである。具体的には、図８は非使用姿勢（Ｐ）、図１０は使用姿勢（Ｑ）を示すとともに、図９は姿勢変更における一過程を示したものとなっている。また当該シュレッダＢは、細断機構４によって細断された細断屑は細断刃収容部２の下側に取り付けた収容袋６に収容する態様のものであり、使用後には当該収容袋６を容易に離脱・交換し得るものとなっている。
【００５５】
ここで、本実施形態に係るシュレッダＢは、上記実施形態同様に、ハウジング１が細断刃収容部２と屑収容部３とを有するとともに、ハウジング１内における収容可能空間Ｓの容積を使用時における使用姿勢（Ｑ）に比べて非使用時における非使用姿勢（Ｐ）で小さくなるように変更する容積変更機構Ｙを具備するものである。そして本実施形態に係るシュレッダＢは、上記構成に加え当該容積変更機構Ｙが、使用姿勢（Ｑ）では支持脚２３に細断機構４を下方から支持させて持ち上げた状態とし、収容袋６に必要十分量の細断屑を収容し得る状態を実現するとともに、非使用姿勢（Ｐ）では屑収容部３が細断刃収容部２を略全て収容してハウジング１自体を略半分の容積へとコンパクトにし得るものである。
【００５６】
以下、本実施形態に係るシュレッダＢにおける、容積変更機構Ｙを有するハウジング１の構成について説明する。
【００５７】
細断刃収容部２は、図８乃至図１３に示すように、使用姿勢（Ｑ）でハウジング１における上側に位置するものであり、当該細断刃収容部２の主体を成す収容部本体２０と、当該収容部本体２０を下方から支持する支持脚２３と、当該支持脚２３を回転支持している回転軸２４とを主に有している。
【００５８】
収容部本体２０は、細断機構４を内蔵している刃収容箱２０ｂを主体とする直方体形状の外形を有している。そして収容部本体２０の平面視外形は屑収容部３の立壁３２の内面に沿って上下に摺動に形成するとともに、刃収容箱２０ｂの下面側には上記実施形態同様に排出口２０ｃを設けることによって、屑収容部３側に細断屑を落下させ得るように形成したものである。また収容部本体２０は、上面側に紙葉類を投入するための投入口２０１を設けるとともに、支持脚２３を取り付けるための脚取付部２０５と、使用姿勢（Ｑ）において把手７の上端部分を収容し得る把手収容部２０６と、細断屑を収容するための別体の収容袋６を取り付けるための袋取付部２０７とを有している。支持脚２３は、収容部本体２０の脚取付部２０５に端部を回転軸２４を介して取り付けられた一対の側面視コの字形状をなしたものである。回転軸２４は、支持脚２３を使用姿勢（Ｑ）においては正面視垂直に、非使用姿勢（Ｐ）においては正面視水平となるように回転可能に支持するためのものである。なお本実施形態では、使用姿勢（Ｑ）で支持脚２３を正面視垂直となる位置で位置決めするための構成を支持脚２３、回転軸２４、或いは脚取付部２０５に設けたものであるが、当該構成は既存の種々の構成を採用し得るので説明を省略するものとする。
【００５９】
屑収容部３は、同図に示すように、ハウジング１における下側に位置するものであり、上側を上述した細断屑排出口２０ｃに臨ませるとともに、前方から収容袋６を取り出し可能に構成しているものである。そしてこの屑収容部３は、底壁３１と、当該底壁３１の周囲から立ち上がる立壁３２と、立壁３２の前面側に取り付けた前蓋３３とを有している。底壁３１は、ハウジング１の下面側を略覆うものであり、非使用姿勢（Ｐ）において支持脚２３を位置決めする為の位置決め爪３１２と、支持脚２３を挿通させるために四隅に設けた脚挿通孔３１３とを有している。立壁３２は、底壁３１の外縁から上方並びに若干寸法下方に伸びており、上側両側には把手７を回転可能に取り付け支持するための把手取付部３２２を有しているとともに、前面側には前蓋３３を回転可能に取り付ける前蓋取付部３２３を有している。そして前蓋３３は前蓋取付部３２３によって下縁部を中心に回転することで開閉するものであり、前蓋３３を開くと袋取付部２０７に容易にアクセス可能となり、収容袋６の交換を容易に行なうことができるものとなっている。なお本実施形態のシュレッダＢは勿論、前蓋３３が開けられた場合や非使用姿勢（Ｐ）など、正常な使用姿勢（Ｑ）以外の状態では細断刃４１が作動しないような細断動作停止機構が設けられているが、本実施形態においては、当該細断動作停止機構の説明は省略するものとする。
【００６０】
しかして本実施形態に係るシュレッダＢは、細断刃収容部２が屑収容部３に収容され得る形状を採用することにより、ハウジング１が、ハウジング１内における細断屑を収容し得る収容可能空間Ｓの容積を使用時における使用姿勢（Ｑ）に比べて非使用時における非使用姿勢（Ｐ）で小さくなるように変更する容積変更機構Ｙを具備することを特徴とするものである。
【００６１】
すなわち、本実施形態に係る容積変更機構Ｙとは、上述した細断刃収容部２並びに屑収容部３自体の形状と、使用時すなわち使用姿勢（Ｑ）において細断刃収容部２を屑収容部３の上方に位置付けるための位置決め部Ｙ１を有している。すなわち本実施形態に係る位置決め部Ｙ１は、細断刃収容部２に設けた支持脚２３並びに回転軸２４、さらには底壁３１に設けた位置決め爪３１２によって構成されるものである。
【００６２】
以下、使用時における使用姿勢（Ｑ）から非使用時においてハウジング１をコンパクトなものとする非使用姿勢（Ｐ）に至るまでの容積変更機構Ｙに関する一連の動作について説明する。
【００６３】
図１０、図１１及び図１２は、シュレッダＢが使用姿勢（Ｑ）にある状態を示している。当該使用姿勢（Ｑ）においては、図１１、図１２に示すように、支持脚２３は正面視垂直な姿勢をとることによって、細断刃収容部２の排出口２０ｃと底壁３１とが十分な距離離間した状態となり、収容可能空間Ｓの容積は必要十分に確保された状態となっている。
【００６４】
また同図に示す使用姿勢（Ｑ）では、把手７の上端部が把手収容部２０６に嵌ることによって、使用姿勢（Ｑ）において把手７が不必要に動かなくなる作用を奏している。そして特に本実施形態に係るシュレッダＢでは、把手７が把手収容部２０６に収容された外観が、細断刃収容部２が動作の上昇端にある旨を使用者に対し見かけ上示唆し得るものとなっている。
【００６５】
そして図１０に示す状態から屑収容部３を上方へ持ち上げると、細断刃収容部２において支持脚２３が脚挿通孔３１３を挿通した状態を維持しながら図９に示すように支持脚２３が露出する。続いて屑収容部３を上端まで持ち上げた後、支持脚２３を正面視水平となるように回転させ、支持脚２３の端部を位置決め爪３１２と係わり合わせることによって、図８並びに図１３に示すコンパクトな非使用姿勢（Ｐ）となる。
【００６６】
他方、非使用姿勢（Ｐ）から使用姿勢（Ｑ）とする場合は、上記と逆の操作をすればよい。すなわち、先ず支持脚２３を正面視垂直となるように回転させて支持脚２３を露出させた状態で屑収容部３を下端まで下ろせば使用姿勢（Ｑ）となる。
【００６７】
以上のような構成とすることにより、本実施形態に係るシュレッダＢにおいても上記第１実施形態と同様に、非使用時にはハウジング１をコンパクトにして保管しておき、使用時にのみ収容可能空間Ｓを大きくして細断屑を必要十分量収容し得るという、自宅／ＳＯＨＯ向け用途に最適な態様のシュレッダＢを実現している。
【００６８】
特に本実施形態では、細断機構４を下方から支持し得る支持脚２３を採用することによって、簡単な構成で本発明を実現している。
【００６９】
また本実施形態では容易且つ正確に容積変更機構Ｙを動作させるために、支持脚２３と、当該支持脚２３を垂直姿勢から水平姿勢へと回動可能に支持する回転軸２４とを設けた構成としている。
【００７０】
そして、支持脚２３を水平姿勢で位置決めするための位置決め爪３１２を設けることにより、非使用姿勢（Ｐ）において支持脚２３を確実に位置決めしておくことで、特に持ち運びの際に把手７を持って持ち上げても屑収容部３が下方にずり落ちることを有効に防止したものとなっている。
【００７１】
＜第３実施形態＞
さらに、本発明の第３実施形態に係るシュレッダＢ１について説明する。なお本実施形態において、上記第２実施形態における構成要素に相当する構成要素については同じ符号を付すとともに、構成が同一または略同一である場合には、その詳細な説明を適宜省略するものとする。また、図１９はこのシュレッダＢ１の中央側断面図であるが、内部構造を示す便宜上、収容袋６を取り付けていない状態で図示している。
【００７２】
本実施形態に係るシュレッダＢ１は、図１４乃至図２０に示すように、ハウジング１に把手７を取り付けることで、使用者が容易に持ち運びし易い態様のものとなっている。勿論、このシュレッダＢ１においても、図１４及び図１５において斜視図に示すように、使用姿勢（Ｑ）と非使用姿勢（Ｐ）との間で交互に姿勢変更可能なものである。また当該シュレッダＢ１は、図１５及び図１６に示すように、細断機構４によって細断された細断屑は細断刃収容部２の下側に取り付けた収容袋６に収容する態様のものであり、使用後には当該収容袋６を容易に着脱・交換し得るものとなっている。また、把手７中央部には、持ち運びがし易いように隆起部７ａが設けてある。
【００７３】
ここで、本実施形態のシュレッダＢ１は上述同様の容積変更機構Ｙを具備することを前提とし、図１４に示した正常な使用姿勢（Ｑ）以外の状態、すなわち、図１６に示すような前蓋３３が開けられた場合、図１７に示すような収容袋が装着し得ていない場合、そして図１５に示す非使用姿勢（Ｐ）といった、正常な使用姿勢（Ｑ）以外の状態では細断刃４１が作動しないように細断動作停止機構８を具備している。
【００７４】
しかして本実施形態では、当該細断動作停止機構８が、前記ハウジング１が使用時すなわち使用姿勢（Ｑ）であることを検知する使用時検知部と、使用時検知部が使用時を検知したときに細断機構４の動作を、電気的に許可する図示しない動作許可部とを有する。この動作許可部は、細断刃収容部２の所定位置に収容された既存のものであるために詳細な説明を省略する。そのため本実施形態では、細断動作停止機構８のうち、使用時検知部の構成について以下に詳述するものとする。
【００７５】
細断動作停止機構８は、同図に示すように、細断刃収容部２側に設けられた第１の検知要素たる磁気センサ８１と、前蓋３３に取り付けられた第２の検知要素たる検知用磁石８２と、収容袋６の位置を検知する為の袋検知ボタン８３と、収容袋６側に設けられた袋側突起８４とを有している。本実施形態ではこれらの構成について、シュレッダＢ１の他の各構成要素に係る記載と併せて説明する。
【００７６】
細断刃収容部２は、図１４乃至図１９に示すように、上記実施形態同様、当該細断刃収容部２の主体を成す収容部本体２０と、当該収容部本体２０を下方から支持する支持脚２３と、当該支持脚２３を回転支持している回転軸２４とを有している。
【００７７】
収容部本体２０は、細断機構４を内蔵している直方体形状の刃収容箱２０ｂを主体とし、刃収容箱２０ｂの下面側に排出口２０ｃを設けている構成に加え、前後両側に二本ずつ上下方向に延びる計８本の摺動溝２０ｄを形成している。この摺動溝２０ｄは屑収容部３に形成された摺動突起３ｄを収容することにより、収容部本体２０における平面視略全周に隙間ｓｓを形成しながら、屑収容部３に対する平面視の相対位置を位置決めしている。
【００７８】
そして収容部本体２０は、上面側に紙葉類を投入するための投入口２０１、支持脚２３を取り付けるための脚取付部２０５、使用姿勢（Ｑ）において把手７の上端部分を収容し得る把手収容部２０６、別体の収容袋６を取り付けるための袋取付部２０７を有することに加え、本実施形態では、図１８及び図１９に示すように収容袋６を所要の位置に案内するための袋案内部２０８と、脚取付部２０５において支持脚２３を取り付けるための取付穴２０５ａとを有している。なお、この取付穴２０５ａの形状は円形の両側を切り欠いた概略円形状をなしている。当該取付穴２０５ａの開口形状は後述する主軸２４ａの外形合致したものとなっており、回転軸２４と脚取付部２０５との相対回転を禁止している。
【００７９】
加えて収容部本体２０には、細断動作停止機構８の構成要素として、破線で示す第１の検知要素たる磁気センサ８１を内蔵するともに、図１８及び図２０に示すように袋案内部２０８近傍において収容袋６が正確に装着されたことを検知するための袋検知ボタン８３が配されている。
【００８０】
支持脚２３は、収容部本体２０の脚取付部２０５の取付穴２０５ａに対し、回転軸２４とともに取り付けられた一対の側面視コの字形状をなしたものである。本実施形態ではこの支持脚２３は、特に図２０に示すように、基端部において回転軸を取付穴２０５ａとともに挿通させるための挿通穴２３ａと、回転軸２４を取り付けた状態で回転軸２４側に設けた嵌合突部２４ｂを受け入れる嵌合凹部２３ｂと、基端部から延出する対をなす脚支柱２３ｃと、当該脚支柱２３ｃの先端部間に架設されたベース２３ｄと、ベース２３ｄの両端付近における二箇所において取り付けられ、使用姿勢（Ｑ）にて接地させるためのスタビライザ２３ｅとを有している。
【００８１】
回転軸２４は、特に図２０に示すように、支持脚２３を使用姿勢（Ｑ）においては正面視垂直に、非使用姿勢（Ｐ）においては正面視水平となるように回転可能に支持するためのものである。本実施形態ではこの回転軸２３は、同じく図２０に示すように、取付穴２０５ａの開口形状に応じた形状にて突出し当該取付穴２０５ａ及び挿通穴２３ａを挿通する主軸２４ａと、脚支柱２３が垂直又は水平となる状態で当該脚支柱２３設けた嵌合凹部２３ｂに嵌る嵌合凸部２４ｂと、主軸２４ａの中心を開口させて設けた雌ねじ部２４ｃと、主軸２４ａが取付穴２０５ａ及び挿通穴２３ａとを挿通した状態でこれらを固定するためのボルト２４ｄとを有している。
【００８２】
屑収容部３は、図１４乃至図１９に示すように、上側を上述した細断屑排出口２０ｃに臨ませるとともに、前方から収容袋６を引き出すことで取り出し可能に構成しているものである。そしてこの屑収容部３は、底壁３１と、当該底壁３１の周囲から立ち上がる立壁３２と、立壁３２の前面側に取り付けた、当該屑収容部３の内部と外部とを連通させ得る開閉可能な前蓋３３とを有している。底壁３１は、ハウジング１の下面側を略覆うものであり、非使用姿勢（Ｐ）において支持脚２３を位置決めする為の位置決め爪３１２と、本実施形態では支持脚２３を挿通させるために四隅に立設させて設けた脚挿通リブ３１４とを有している。立壁３２は、底壁３１の外縁から上方並びに若干寸法下方に伸びており、上側両側には把手７を回転可能に取り付け支持するための把手取付部３２２を有しているとともに、前面側には前蓋３３を回転可能に取り付ける前蓋取付部３２３を有している。そして前蓋３３は前蓋取付部３２３によって下縁部を中心に回転することで開閉するものであり、前蓋３３を開くと袋取付部２０７に容易にアクセス可能となり、収容袋６の交換を容易に行なうことができるものとなっている。
【００８３】
そして本実施形態では同図に示すように、立壁３２における前後両側に二本ずつ上下方向に延びる計８本の摺動突起３ｄを形成している。この摺動突起３ｄは上述したように摺動溝２０ｄに嵌ることで収容部本体２０を上下方向にスムーズに案内し得るものである。特にこの摺動突起３ｄは、摺動溝２０ｄの深さ寸法よりも突出寸法を大きく設定している。これにより、収容部本体２０と立壁３２との間には略全周に亘って隙間ｓｓが形成される。併せて収容部本体２０と立壁３２とは、ほとんどこの摺動突起３ｄの箇所のみで接しながらハウジング１が相対動作を行なうので、摩擦が発生する面積は最小限に留まる。そのため、収容部本体２０と立壁とのスムーズな摺動動作が実現される。加えて本実施形態では、屑収容部３は、前蓋３３の上端部両側に対をなす位置決め用磁石３３ａを配するとともに、前側の立壁３２における前記位置決め用磁石３３ａに対応する箇所に蓋止磁石３ａを配している。これにより、前蓋３３は磁力によって閉止した状態が好適に維持される。
【００８４】
また本実施形態では、図１４乃至図１７に示すように、前蓋３３の上端部両側には、上記の位置決め用磁石３３ａと同様の検知用磁石８２を、細断動作停止機構８の一要素として取り付けている。この検知用磁石８２は、上述した磁気センサ８１との相対距離が近接した場合にのみ、磁気センサ８１に磁気を検知させ得るだけの磁力を有している。
【００８５】
収容袋６は、細断屑を溜めておくための、例えば可撓性を有する樹脂シートによって形成される袋本体６１と、この袋本体６１の上端に取り付けられる、袋取付部２０７に装着するための矩形枠状の例えば硬質樹脂製の装着枠６２とを有している。
【００８６】
そしてこの装着枠６２の側方前寄りの位置には、細断動作停止機構８の構成要素として、装着枠６２が正確に装着されたときにのみ細断刃収容部２側に設けた袋検知ボタン８３を押圧するための袋側突起８４を設けている。
【００８７】
しかして、本実施形態に係る細断動作停止機構８は、上述した構成のもと、前記検知用磁石８２を前蓋３３に設け、当該前蓋３３の閉止時にのみ検知用磁石８２が磁気センサ８１に対し、磁気的に、係り得るものである。そして、磁気センサ８１と検知用磁石８２とが磁気的に係り合うと、本実施形態では袋検知ボタン８３が袋側突起８４に押圧されているときのみ、細断機構４が通電され得るようになっている。
【００８８】
すなわち、図１４に示す使用時たる使用姿勢（Ｑ）では検知用磁石８２と磁気センサ８１とが近接した位置に位置付けられる。この状態で磁気センサ８１は、図示しない動作許可部に対し所定の信号を送ることにより、細断機構４への通電を許可する。しかしながら図１５に示す使用時ではない非使用姿勢（Ｐ）では、同図に破線で示すとおり、磁気センサ８１と検知用磁石８２との相対距離は使用姿勢（Ｑ）よりも離間してしまうので、動作許可部には、磁気センサ８１からの信号が送られず、細断機構４は動作し得ない。また図１６に示すように、前蓋３３が開いた状態でも、磁気センサ８１と検知用磁石８２との相対距離は離間してしまい、図１５と同様に、細断機構４は動作し得ない。他方、本実施形態の細断動作停止機構８は、細断刃収容部２側に設けた袋検知ボタン８３が、収容袋６に設けられた袋側突起８４に押圧された状態でないと、磁気センサ８１から前記の信号が送られた状態であっても、動作許可部は細断機構４への通電を許可しない。すなわち、図１７に示すような前蓋３３が開き収容袋６が引き出された状態では細断機構６が作動し得ないのは勿論のこと、前蓋３３を閉止しても収容袋６を装着しない、図１９に示すような状態であっても、動作許容部は細断機構４への通電を許可しない。
【００８９】
また他方、本実施形態に係る容積変更機構Ｙとは、上記実施形態同様の位置決め部Ｙ１に加え、支持脚２３を回転軸２４を介して脚取付部２０５に対して、使用姿勢（Ｑ）及び非使用姿勢（Ｐ）に対応する所定角度で位置決めするための節度機構Ｙ２とを有している。位置決め部Ｙ１自体は上記第２実施形態同様、細断刃収容部２に設けた支持脚２３並びに回転軸２４、さらには底壁３１に設けた位置決め爪３１２によって構成される。そして節度機構Ｙ２は、特に図２０に示すように、脚取付部２０５、支持脚２３及び回転軸２４によって構成される。
【００９０】
以下、使用時における使用姿勢（Ｑ）から非使用時においてハウジング１をコンパクトなものとする非使用姿勢（Ｐ）に至るまでの容積変更機構Ｙに関する一連の動作について説明する。
【００９１】
図１４は、シュレッダＢ１が使用姿勢（Ｑ）にある状態を示している。同図に示す使用姿勢（Ｑ）では、上記第２実施形態同様、把手７の上端部が把手収容部２０６に嵌ることによって、使用姿勢（Ｑ）において把手７が不必要に動かなくなる作用を奏している。そして特に本実施形態に係るシュレッダＢ１では、把手７が把手収容部２０６に収容された外観が、細断刃収容部２が動作の上昇端にある旨を使用者に対し見かけ上示唆し得るものとなっている。
【００９２】
他方使用姿勢（Ｑ）では、上述した節度機構Ｙ２により、回転軸２４側に設けた嵌合凸部２４ｂが支持脚２３側に設けた嵌合凹部２３ｂに嵌ることによって、支持脚２３は直立した状態で安定して位置決めされる。そして支持脚２３はベース２３ｄに取り付けたスタビライザ２３ｅを介して図示しない載置面に安定して載置される。これにより、シュレッダＢ１全体が安定して載置される。
【００９３】
そして図１４に示す状態から屑収容部３を上方へ持ち上げた後、支持脚２３を正面視水平となるように回転させると、支持脚２３の基端側では嵌合凹部２３ｂ及び嵌合凸部２４ｂが再び係り合うことにより支持脚２３が脚取付部２０５に対して直交する姿勢に位置決めされるとともに、支持脚２３の先端側ではベース２３ｄの中央と位置決め爪３１２とが係わり合うことによって支持脚２３は位置決めされ、図１５に示すコンパクトな非使用姿勢（Ｐ）となる。
【００９４】
そして本実施形態では、使用姿勢（Ｑ）から非使用姿勢（Ｐ）へと姿勢変更する際に細断刃収容部２と屑収容部３との上下方向の相対動作が起こるが、斯かる相対動作は上述した摺動溝２０ｄ内を摺動突起３ｄが摺動することによって好適に案内される。しかも上述したように、摺動溝２０ｄの深さ寸法よりも摺動突起３ｄの突出寸法をより大きく設定することにより細断刃収容部２と屑収容部３との間には摺動突起３ｄ以外の略全周に亘って隙間ｓｓが形成されるため、摩擦の発生が最小限に抑えられた、スムーズな姿勢変更が可能となっている。
【００９５】
以上のような構成とすることにより、本実施形態に係るシュレッダＢ１は、上述したような細断動作停止機構８を有しているので、ハウジング１が使用時たる使用姿勢（Ｑ）以外の形状をとった場合には細断機構４は作動しない。これにより、細断機構４の不要な作動を有効に回避することができるものとなっている。
【００９６】
本実施形態では、第１の検知要素たる磁気センサ８１と第２の検知要素たる検知用磁石との、「係り合い」を利用することにより、本発明特有である、ハウジング１の動作を有効に利用し確実に作動し得る細断動作停止機構８を実現している。
【００９７】
さらに本実施形態では、磁気的な「係り合い」を適用することで、ハウジング１の動作に干渉することを有効に回避しながら、細断機構４に対する通電の要否を確実に検知し得るようにしている。
【００９８】
特に本実施形態では、検知用磁石８２を前蓋３３に適用することによって、細断刃収容部２と屑収容部３との相対動作のみならず、前蓋３３の開閉状態をも磁気センサ８１が検知し得るものとなっている。このように、検知のための単一の構成において、複数の要件を検知することを可能としているので、確実な細断動作停止機構８を実現するために必要な構成をより簡素化し、部品点数を削減することをも可能としている。
【００９９】
以上、本発明の実施形態について説明したが、各部の具体的な構成は、上述した実施形態のみに限定されるものではなく、本発明の趣旨を逸脱しない範囲で種々変形が可能である。
【０１００】
例えば、上記実施形態では屑収容部３の形状自体は変化せずに動作のみを行なう態様を開示したが、勿論、屑収容部３の立壁３２を伸縮可能な蛇腹状のものとしたり、テレスコピックに構成することによって収容可能空間の容積を変更し得るようにしたものであってもよい。
【０１０１】
加えて細断動作停止機構については、上記第３実施形態のような磁気センサを用いる態様のほか、赤外線などに光を利用する態様や、物理的な凹凸係合など、一方の検知要素が他方を検知し得るような態様を広く適用できる。また本実施形態では前蓋が開いた状態や収容袋が正確に装着されていない状態でも細断機構への通電を禁止する態様を開示したが、このほか、振動が一定以上大きくなった場合、シュレッダが倒伏したり、一定以上傾いた状態や、給電される電流や電圧など、シュレッダの正常な動作に影響を与え得る種々の動作にも対応させてもよい。また、第３実施形態では、細断動作停止機構を前扉の位置に設けた態様を開示したが、例えば第１実施形態における操作レバー近傍の位置や、屑入れの位置に磁石を配置するなどして、第２実施形態同様の細断動作停止機構を実現し得る。また、当該第３実施形態では片開き式の前蓋を開示したが、勿論、両開き式のもの、スライド可能な引き戸タイプのもの、シャッター式、さらには着脱可能な蓋を利用して、本発明の細断動作停止機構を実現し得ることは言うまでもない。
【０１０２】
また支持脚２３についても同様に、回転動作に限られず、伸縮可能な態様や湾曲、屈曲させる態様など、屑収容部３や細断刃収容部２の形状など、具体的な態様は上記実施形態のものに限定されることはなく、既存のものを含め、種々の態様のものを適用することができる。
【０１０３】
その他、各部の具体的構成についても上記実施形態に限られるものではなく、本発明の趣旨を逸脱しない範囲で種々変形が可能である。
【産業上の利用可能性】
【０１０４】
本発明は、紙類を細断するためのシュレッダに適用することができる。
【符号の説明】
【０１０５】
Ａ…シュレッダ
Ｂ、Ｂ１…シュレッダ
１…ハウジング
２…細断刃収容部
２１…操作レバー
２１１…操作端
２１３…回転中心(回転部)
２２…係合部材
２２２…係合凸部
２３…支持脚
２４…回転軸
３…屑収容部
３１２…位置決め爪
４…細断機構
４１…細断刃
８…細断動作停止機構
８１…第１の検知要素（磁気センサ）
８２…第２の検知要素（検知用磁石）
Ｓ…空間（収容可能空間）
Ｘ、Ｙ…容積変更機構
Ｘ１…位置決め部(係合部)
Ｙ１…位置決め部
【図１】
0005636561.tif 000002
【図２】
0005636561.tif 000003
【図３】
0005636561.tif 000004
【図４】
0005636561.tif 000005
【図５】
0005636561.tif 000006
【図６】
0005636561.tif 000007
【図７】
0005636561.tif 000008
【図８】
0005636561.tif 000009
【図９】
0005636561.tif 000010
【図１０】
0005636561.tif 000011
【図１１】
0005636561.tif 000012
【図１２】
0005636561.tif 000013
【図１３】
0005636561.tif 000014
【図１４】
0005636561.tif 000015
【図１５】
0005636561.tif 000016
【図１６】
0005636561.tif 000017
【図１７】
0005636561.tif 000018
【図１８】
0005636561.tif 000019
【図１９】
0005636561.tif 000020
【図２０】
0005636561.tif 000021